(57)【特許請求の範囲】
【請求項１】
基地局を制御する制御局に対する制御信号を生成する制御信号生成手段と、
移動局が無線通信を行う前記基地局を変更する際に、前記制御局に対して前記制御信号を複数回送信する制御信号通信手段とを備え、
前記制御信号生成手段は、前記制御信号として、前記基地局が処理可能な下りデータのトラフィック量を前記制御局に通知するトラフィック割り当て信号を生成し、
前記制御信号通信手段は、
前記移動局が前記基地局を変更するタイミングの通知を前記制御局から受信し、
通知された前記タイミング以降、前記制御信号を複数回送信し、
前記制御信号の送信間隔を、送信初期段階では短くし、時間の経過に伴って前記送信初期段階よりも長くすることを特徴とする基地局。
【請求項２】
前記制御信号通信手段は、前記タイミングを経過しても前記制御局から下りデータが送信されない場合、前記制御信号を複数回送信することを特徴とする請求項１に記載の基地局。
【請求項３】
前記制御信号通信手段は、前記制御局から前記移動局に対する下りデータが送信されたことにより、前記トラフィック割り当て信号の送信を終了することを特徴とする請求項１または２に記載の基地局。
【請求項４】
基地局を制御する制御局と、
移動局が無線通信を行う前記基地局を変更する際に、前記制御局に対して前記制御信号を複数回送信する基地局とを備え、
前記基地局は、
基地局を制御する制御局に対する制御信号を生成する制御信号生成手段と、
移動局が無線通信を行う前記基地局を変更する際に、前記制御局に対して前記制御信号を複数回送信する制御信号通信手段とを備え、
前記制御信号生成手段は、前記制御信号として、前記基地局が処理可能な下りデータのトラフィック量を前記制御局に通知するトラフィック割り当て信号を生成し、
前記制御信号通信手段は、
前記移動局が前記基地局を変更するタイミングの通知を前記制御局から受信し、
通知された前記タイミング以降、前記制御信号を複数回送信し、
前記制御信号の送信間隔を、送信初期段階では短くし、時間の経過に伴って前記送信初期段階よりも長くすることを特徴とする移動通信システム。
【請求項５】
前記制御信号通信手段は、前記タイミングを経過しても前記制御局から下りデータが送信されない場合、前記制御信号を複数回送信することを特徴とする請求項４に記載の移動通信システム。
【請求項６】
基地局を制御する制御局に対する制御信号を生成ステップと、
移動局が無線通信を行う前記基地局を変更する際に、前記制御局に対して前記制御信号を複数回送信するステップとを備え、
前記生成するステップでは、前記制御信号として、前記基地局が処理可能な下りデータのトラフィック量を前記制御局に通知するトラフィック割り当て信号を生成し、
前記送信するステップでは、
前記移動局が前記基地局を変更するタイミングの通知を前記制御局から受信し、
通知された前記タイミング以降、前記制御信号を複数回送信し、
前記制御信号の送信間隔を、送信初期段階では短くし、時間の経過に伴って前記送信初期段階よりも長くすることを特徴とする移動通信制御方法。
【請求項７】
前記送信するステップでは、前記タイミングを経過しても前記制御局から下りデータが送信されない場合、前記制御信号を複数回送信することを特徴とする請求項６に記載の移動通信制御方法。
【発明の詳細な説明】
【技術分野】
【０００１】  本発明は、基地局、移動通信システム及び移動通信制御方法に関する。
【背景技術】
【０００２】  現在、携帯電話のような移動通信システムでは、サービスエリア全体を「セル」と呼ばれる複数の無線ゾーンに分割してサービスを行っている。移動通信システムでは、移動局がセルをまたがって移動する場合に、移動局が無線通信を行う基地局を変更する「セルチェンジ」が行われる（例えば、非特許文献１参照）。【０００３】  セルチェンジの際、基地局を制御する制御局は、下りデータの送信先を変更元の基地局から変更先の基地局に切り替える、下りデータのパスの切り替えを行う。また、変更先の基地局は、制御局に、基地局が処理可能なトラフィック量を通知するトラフィック割り当て信号を送信する。制御局は、通知されたトラフィック量に応じて、変更先の基地局に下りデータを送信する。【０００４】  しかし、制御局における処理負荷が高いときなど、パスの切り替えに長時間を要する場合がある。制御局は、パスの切り替え中は、変更先の基地局から送信されるトラフィック割り当て信号を処理できない。そのため、制御局が、変更先の基地局に、その基地局が処理可能なトラフィック量に応じた下りデータを送信できず、通信が行われない「無通信」の状態が生じてしまう場合がある。【０００５】  この無通信の状態を解除するため、従来、２つの方法が行われていた。【０００６】  １つは、基地局が、一定時間経過しても制御局から下りデータが送信されない場合に、トラフィック割り当て信号を再送する方法である。【０００７】  もう１つは、制御局が、一定時間を経過しても基地局からトラフィック割り当て信号を受信できない場合に、トラフィック割り当て信号を要求する要求信号を基地局に送信し、基地局が、その要求信号に応じて、トラフィック割り当て信号を再送する方法である。【０００８】  しかしながら、従来の方法は、いずれも、無通信の状態を解除できるものの、無通信の状態が一定時間続くことは避けられなかった。【０００９】  そこで、パスの切り替えに長時間を要した場合であっても、制御局がトラフィック割り当て信号を速やかに処理し、無通信時間を短縮するための方法として、基地局がトラフィック割り当て信号を絶えず高頻度で送信する方法、制御局がトラフィック割り当て信号の要求信号を絶えず高頻度で送信する方法が考えられる。【００１０】  しかし、これらの方法では、基地局及び制御局において信号処理の負荷が増大してしまう、基地局と制御局との間の通信リソースが浪費されてしまうという新たな課題を生じた。
【非特許文献１】３ＧＰＰ  ＴＳ２５．２１４  ｖ５．１０．０（２００４−１２）
【発明の開示】
【００１１】  そこで、本発明は、移動局が、無線通信を行う基地局を変更する際に、基地局と制御局の負荷増大、及び、基地局と制御局との間の通信リソースの浪費を防止し、制御局が、基地局からの制御信号を速やかに処理することを目的とする。
【００１２】  本発明に係る基地局は、基地局を制御する制御局に対する制御信号を生成する制御信号生成手段と、移動局が無線通信を行う基地局を変更する際に、制御局に対して制御信号を複数回送信する制御信号通信手段とを備えることを特徴とする。
【００１３】  このような基地局によれば、制御信号を制御局に複数回送信できるため、制御局が、パスの切り替えに長時間を要した場合であっても、パスの切り替え完了後、直ちに基地局から制御信号を受信し、速やかに処理することができる。
【００１４】  しかも、基地局は、移動局が無線通信を行う基地局を変更する際に限って、制御信号を複数回送信するため、基地局と制御局の負荷増大、及び、基地局と制御局との間の通信リソースの浪費を防止できる。
【００１５】  制御信号通信手段は、移動局が基地局を変更するタイミングの通知を制御局から受信し、通知されたタイミング以降、制御信号を複数回送信してもよい。
【００１６】  かかる基地局によれば、制御信号の複数回送信を、より確実に、必要なときに限ることができ、負荷増大及び通信リソースの浪費をより確実に防止できる。
【００１７】  制御信号生成手段は、制御信号として、基地局が処理可能な下りデータのトラフィック量を制御局に通知するトラフィック割り当て信号を生成してもよい。
【００１８】  かかる基地局によれば、制御局が、パスの切り替えに長時間を要した場合であっても、パスの切り替え完了後、直ちに基地局からトラフィック割り当て信号を受信し、速やかに基地局に、その基地局が処理可能なトラフィック量に応じた下りデータを送信できる。よって、無通信時間を短縮することができる。
【００１９】  制御信号通信手段は、制御局から移動局に対する下りデータが送信されたことにより、トラフィック割り当て信号の送信を終了してもよい。
【００２０】  かかる基地局によれば、処理負荷及び通信リソースの浪費をより抑えることができる。
【００２１】  制御信号通信手段は、制御信号の送信間隔を、送信初期段階では短くし、時間の経過に伴って送信初期段階よりも長くしてもよい。
【００２２】  かかる基地局によれば、送信初期段階でパスの切り替えが終了した場合に、送信間隔を短くした分、制御信号の処理をより速やかに行うことができる。更に、パスの切り替えに長時間を要した場合に、送信間隔を長くした分、無駄となってしまう制御信号の送信を抑えることができ、処理負荷及び通信リソースの浪費をより抑えることができる。
【００２３】  本発明に係る移動通信システムは、基地局を制御する制御局と、移動局が無線通信を行う基地局を変更する際に、制御局に対して制御信号を複数回送信する基地局とを備えることを特徴とする。
【００２４】  本発明に係る移動通信制御方法は、移動局が無線通信を行う基地局を変更する際に、基地局が、基地局を制御する制御局に対して、制御局に対する制御信号を複数回送信することを特徴とする。
【図面の簡単な説明】
【００２５】
【図１】図１は、本発明の実施形態に係る移動通信システムの構成を示す図である。
【図２】図２は、本発明の実施形態に係る移動通信システムのプロトコルスタックを示す図である。
【図３】図３は、本発明の実施形態に係るセルチェンジを示す図である。
【図４】図４は、本発明の実施形態に係る基地局の構成を示すブロック図である。
【図５】図５は、本発明の実施形態に係る制御局の構成を示すブロック図である。
【図６】図６は、本発明の実施形態に係る移動通信制御方法の手順を示すシーケンス図である。
【発明を実施するための最良の形態】
【００２６】（移動通信システム）
図１に示すように、移動通信システム１００は、複数の基地局１０ａ〜１０ｅと、複数の移動局２０ａ〜２０ｃと、複数の制御局３０ａ，３０ｂと、コアネットワーク４０とを備える。【００２７】  移動通信システム１００は、サービスエリア全体を複数の無線ゾーンに分割して、移動通信サービスを提供する。具体的には、移動通信システム１００には、複数の無線ゾーンとして、複数のセル１ａ〜１ｅが存在する。【００２８】  移動局２０ａ〜２０ｃは、自身が在圏するセルをカバーする基地局と無線チャネル（無線回線）を設定し、無線通信を行う。【００２９】  基地局１０ａ〜１０ｅは、それぞれ、セル１ａ〜１ｅをカバーする。基地局１０ａ〜１０ｅは、自身がカバーするセル１ａ〜１ｅに在圏する移動局と無線チャネルを設定し、無線通信を行う。【００３０】  制御局３０ａ，３０ｂは、基地局を制御する。制御局３０ａは基地局１０ａ〜１０ｃと、制御局３０ｂは基地局１０ｄ，１０ｅと、有線を介して接続する。制御局３０ａは、複数の基地局１０ａ〜１０ｃを統括し、制御局３０ｂは、複数の基地局１０ｄ，１０ｅを統括する。更に、制御局３０ａ，３０ｂは、コアネットワーク４０と接続する。コアネットワーク４０には、交換局などが含まれている。【００３１】  移動局２０ａ〜２０ｃとコアネットアーク４０との間のデータ伝送は、制御局３０ａ，３０ｂ及び基地局１０ａ〜１０ｅを経由して行われる。このように、移動通信システム１００は、コアネットワーク４０、制御局３０ａ，３０ｂ、基地局１０ａ〜１０ｅが階梯をなした構成となっている。【００３２】  図２に、移動通信システム１００におけるプロトコルスタックを示す。【００３３】  移動局２０ａは、基地局１０ａと対向し、基地局１０ａと通信を行う物理レイヤを備える。更に、移動局２０ａは、制御局３０ａと対向し、制御局３０ａと通信を行うデータリンクレイヤを備える。【００３４】  基地局１０ａは、移動局２０ａと対向し、移動局２０ａと通信を行う物理レイヤを備える。更に、基地局１０ａは、制御局３０ａと対向し、制御局３０ａと通信を行う物理レイヤとサブレイヤとを備える。【００３５】  制御局３０ａは、基地局１０ａと対向し、基地局１０ａと通信を行う物理レイヤとサブレイヤとを備える。更に、制御局３０ａは、移動局２０ａと対向し、移動局２０ａと通信を行うデータリンクレイヤを備える。制御局３０ａは、コアネットワーク４０と対向し、コアネットワーク４０と通信を行うコアネットワーク側レイヤを備える。コアネットワーク側レイヤには、物理レイヤと、サブレイヤと、データリンクレイヤが含まれる。【００３６】  サブレイヤは、具体的には、ＡＡＬ（ＡＴＭアダプテーションレイヤ）のサブレイヤである。例えば、基地局１０ａと制御局３０ａとの間では、サブレイヤにおいて伝送速度などの制御情報をやりとりする。又、移動局２０ｂ，２０ｃ、基地局１０ｂ〜１０ｅ、制御局３０ｂも同様のプロトコルスタックを備える。【００３７】  移動通信システム１００では、図３に示すように、移動局２０ａが通信中に、異なるセル１ａとセル１ｂをまたがって移動する場合がある。このとき、移動局２０ａは、通信中に無線通信を行う基地局を切り替える「セルチェンジ」を行��。【００３８】  具体的には、移動局２０ａは、セル１ａをカバーする基地局１０ａから、移動先のセル１ｂをカバーする基地局１０ｂに接続先を切り替え、基地局１０ｂと無線チャネルを確立して無線通信を行う。【００３９】  ここで、セルチェンジにおける制御信号に着目して、セルチェンジの際の基地局１０ａ，１０ｂと制御局３０ａの処理を説明する。【００４０】  まず、制御局３０ａが、変更元の基地局１０ａ及び変更先の基地局１０ｂに、セルチェンジのタイミングを通知する。【００４１】  セルチェンジのタイミングとは、移動局２０ａが無線通信を行う基地局を、変更元の基地局１０ａから変更先の基地局１０ｂに変更するタイミングである。【００４２】  制御局３０ａは、セルチェンジのタイミングを通知するセルチェンジ制御信号を、変更元の基地局１０ａ及び変更先の基地局１０ｂに送信する。【００４３】  セルチェンジ制御信号を受信した変更元の基地局１０ａは、通知されたセルチェンジのタイミング前に、制御局３０ａから変更元の基地局１０ａへの下りデータの送信停止を、制御局３０ａに要求する。【００４４】  基地局１０ａ，１０ｂは、制御局３０ａから基地局１０ａ，１０ｂへの下りデータの送信（データトラフィック）に関する制御情報を、制御信号「トラフィック割り当て信号」を用いて通知する。【００４５】  そのため、基地局１０ａは、下りデータの送信停止（データトラフィック停止）を要求するトラフィック割り当て信号を制御局３０ａに送信する。【００４６】  制御局３０ａは、通知したセルチェンジのタイミングで、下りデータの送信先を変更元の基地局１０ａから変更先の基地局１０ｂに切り替える、下りデータのパスの切り替えを行う。【００４７】  更に、変更先の基地局１０ｂは、通知されたセルチェンジのタイミング以降、基地局１０ｂが処理可能な下りデータのトラフィック量を制御局３０ａに通知する。【００４８】  基地局１０ｂは、処理可能な下りデータのトラフィック量を通知するトラフィック割り当て信号を制御局３０ａに送信する。【００４９】  制御局３０ａは、変更先の基地局１０ｂから通知されたトラフィック量に応じて、基地局１０ｂに下りデータを送信する。【００５０】  このようにして、移動通信システム１００では、セルチェンジの際に、制御局３０ａから基地局１０ａ，１０ｂへの下りデータのトラフィック量を制御する。【００５１】  このような移動局２０ａが無線通信を行う基地局を変更するセルチェンジの際に、変更先の基地局１０ｂは、制御局３０ａに対して制御信号「トラフィック割り当て信号」を複数回送信する。【００５２】  具体的には、基地局１０ｂは、通知されたセルチェンジのタイミングを起点に、セルチェンジのタイミング以降、トラフィック割り当て信号を複数回、制御局３０ａに送信する。【００５３】  そして、基地局１０ｂは、制御局３０ａから移動局２０ａに対する下りデータが送信されたことにより、トラフィック割り当て信号の送信を終了する。【００５４】  次に、基地局１０ａ〜１０ｅ及び制御局３０ａ，３０ｂの構成についてより詳細に説明する。【００５５】  図４に示すように、基地局１０ａは、制御局側物理レイヤ処理部１１と、サブレイヤ処理部１２と、信号処理��１３と、移動局側物理レイヤ処理部１４と、制御信号生成部１５と、アンテナ１６とを備える。基地局１０ｂ〜１０ｅも、基地局１０ａと同様の構成を備える。【００５６】  制御局側物理レイヤ処理部１１は、制御局３０ａと物理レイヤにおいて通信を行う。制御局側物理レイヤ処理部１１は、制御局３０ａと有線を介して接続し、通信を行う。制御局側物理レイヤ処理部１１は、移動局２０ａに対する下りデータや、移動局２０ａからの上りデータを制御局３０ａと送受信する。【００５７】  サブレイヤ処理部１２は、制御局３０ａとサブレイヤにおいて通信を行う。サブレイヤ処理部１２は、制御情報を含む制御信号を制御局３０ａと送受信する制御信号通信手段である。【００５８】  サブレイヤ処理部１２は、例えば、セルチェンジのタイミングを通知するセルチェンジ制御信号、下りデータのトラフィック量を通知するトラフィック割り当て信号、下りデータの送信停止（データトラフィック停止）を要求するトラフィック割り当て信号などの制御信号を、制御局３０ａと送受信する。【００５９】  サブレイヤ処理部１２は、移動局２０ａが無線通信を行う基地局を変更するセルチェンジの際に、変更先の基地局となった場合、制御局３０ａに対して、処理可能な下りデータのトラフィック量を通知するトラフィック割り当て信号を複数回送信する。【００６０】  まず、サブレイヤ処理部１２は、移動局２０ａが基地局を変更するセルチェンジのタイミングを通知するセルチェンジ制御信号を、制御局３０ａから受信する。【００６１】  そして、サブレイヤ処理部１２は、通知されたセルチェンジのタイミング以降、トラフィック量を通知するトラフィック割り当て信号を、複数回、制御局３０ａに送信する。【００６２】  サブレイヤ処理部１２は、制御局３０ａから移動局２０ａに対する下りデータが送信されたことにより、トラフィック割り当て信号の送信を終了できる。【００６３】  これによれば、信号処理による基地局１０ａと制御局３０ａの負荷増大、及び、基地局１０ａと制御局３０ａとの間の有線帯域などの通信リソースの浪費を、より抑えることができる。【００６４】  制御局側物理レイヤ処理部１１は、下りデータの受信をサブレイヤ処理部１２に通知する。サブレイヤ処理部１２は、制御局側物理レイヤ処理部１１からの通知を受けて、制御局３０ａから下りデータが送信されたことを認識し、トラフィック割り当て信号の送信を終了できる。【００６５】  例えば、制御局３０ａにおける処理負荷が高いときなど、パスの切り替えに長時間を要する場合がある。制御局３０ａは、パスの切り替え中は、変更先の基地局から送信されるトラフィック割り当て信号を処理できない。そのため、制御局３０ａが、変更先の基地局に、その基地局が処理可能なトラフィック量に応じた下りデータを送信できず、無通信の状態が生じる。【００６６】  よって、パス切り替え所要時間が長くなり、セルチェンジのタイミングを経過しても制御局３０ａから下りデータが送信されない場合、サブレイヤ処理部１２は、トラフィック割り当て信号を複数回送信する。【００６７】  一方、サブレイヤ処理部１２が最初に送信したトラフィック割り当て信号に応じて、制御局３０ａから直ちに下りデータが��信された場合には、サブレイヤ処理部１２は、トラフィック割り当て信号の送信を１回で終了できる。【００６８】  サブレイヤ処理部１２は、トラフィック割り当て信号を一定の送信間隔で複数回送信してもよく、送信間隔を一定ではなく変化させてもよい。【００６９】  例えば、サブレイヤ処理部１２は、トラフィック割り当て信号の送信間隔を、送信初期段階では短くし、時間の経過に伴って送信初期段階よりも長くすることができる。【００７０】  これによれば、送信初期段階でパスの切り替えが終了した場合に、送信間隔を短くした分、トラフィック割り当て信号の処理をより速やかに行うことができる。その結果、無通信時間をより一層、短縮することができる。【００７１】  更に、パスの切り替えに長時間を要した場合に、送信間隔を長くした分、無駄となってしまうトラフィック割り当て信号の送信を抑えることができる。その結果、信号処理による基地局１０ａと制御局３０ａの負荷増大、及び、基地局１０ａと制御局３０ａとの間の有線帯域などの通信リソースの浪費を、より抑えることができる。【００７２】  サブレイヤ処理部１２は、トラフィック割り当て信号を一定の送信間隔で送信する場合、負荷増大及び通信リソース浪費の防止と、トラフィック割り当て信号の迅速な処理及びそれによる無通信時間の短縮の双方を考慮し、適切な送信間隔を設定することができる。【００７３】  サブレイヤ処理部１２は、セルチェンジの際に、変更元の基地局となった場合、下りデータの送信停止（データトラフィック停止）を要求するトラフィック割り当て信号を制御局３０ａに送信する。【００７４】  信号処理部１３は、移動局２０ａと制御局３０ａとの間の制御信号やデータの中継処理を行う。また、信号処理部１３は、移動局２０ａと制御局３０ａとの間で送受信されるデータのバッファリングなどを行う。【００７５】  移動局側物理レイヤ処理部１４は、移動局２０ａと物理レイヤにおいて通信を行う。移動局側物理レイヤ処理部１４は、移動局２０ａと無線チャネルを設定する。そして、移動局側物理レイヤ処理部１４は、アンテナ１６を介して移動局２０ａと無線通信を行う。移動局側物理レイヤ処理部１４は、移動局２０ａに対する下りデータや、移動局２０ａからの上りデータを移動局２０ａと送受信する。【００７６】  制御信号生成部１５は、制御局３０ａに対する制御信号を生成する制御信号生成手段である。制御信号生成部１５は、制御信号として、基地局１０ａが処理可能な下りデータのトラフィック量を制御局３０ａに通知するトラフィック割り当て信号や、下りデータの送信停止（データトラフィック停止）を要求するトラフィック割り当て信号を生成する。【００７７】  制御信号生成部１５は、信号送出量計算部１５ａを備える。【００７８】  信号送出量計算部１５ａは、基地局１０ａが処理可能な下りデータのトラフィック量、即ち、制御局３０ａから基地局１０ａに送信可能な下りデータのトラフィック量（制御局からの信号送出量）を計算する。【００７９】  信号送出量計算部１５ａは、移動局側物理レイヤ処理部１４を監視し、基地局１０ａから移動局２０ａに送信している下りデータのトラフィック量（基地局からの信号送出量）を測定する。【００８��】  信号送出量計算部１５ａは、信号処理部１３を監視し、基地局１０ａにおける移動局２０ａへのデータ滞留量を測定する。即ち、信号処理部１３が、バッファリングしている移動局２０ａへの下りデータ量を測定する。【００８１】  そして、信号送出量計算部１５ａは、基地局１０ａが処理可能な下りデータの最大トラフィック量、即ち、制御局３０ａから基地局１０ａに送信可能な最大トラフィック量（最大信号送出量）と、基地局１０ａから移動局２０ａに送信している下りデータのトラフィック量（基地局からの信号送出量）の測定値と、基地局１０ａにおけるデータ滞留量の測定値に基づいて、基地局１０ａが処理可能な下りデータのトラフィック量（制御局からの信号送出量）を計算する。【００８２】  例えば、信号送出量計算部１５ａは、基地局１０ａにおけるデータ滞留量の測定値を、基地局１０ａから移動局２０ａに送信している下りデータのトラフィック量（基地局からの信号送出量）の測定値を用いて除算することにより、データがバッファに滞留する時間を推定し、上記データがバッファに滞留する時間に基づいて、基地局１０ａが処理可能な下りデータのトラフィック量（制御局からの信号送出量）を求める。【００８３】  あるいは、信号送出量計算部１５ａは、制御局３０ａから基地局１０ａに送信可能な最大トラフィック量（最大信号送出量）を，基地局１０ａが処理可能な下りデータのトラフィック量（制御局からの信号送出量）として算出してもよい。【００８４】  また、例えば、信号送出量計算部１５ａは、最大トラフィック量（最大信号送出量）から、基地局１０ａから移動局２０ａに送信している下りデータのトラフィック量（基地局からの信号送出量）の測定値と、基地局１０ａにおけるデータ滞留量の測定値とを減算することにより、基地局１０ａが処理可能な下りデータのトラフィック量（制御局からの信号送出量）を求める。【００８５】  制御信号生成部１５は、信号送出量計算部１５ａが求めた基地局１０ａが処理可能な下りデータのトラフィック量を制御情報として含む制御信号「トラフィック割り当て信号」を生成する。制御信号生成部１５は、生成したトラフィック割り当て信号をサブレイヤ処理部１２に入力する。【００８６】  図５に示すように、制御局３０ａは、基地局側物理レイヤ処理部３１と、サブレイヤ処理部３２と、データリンクレイヤ処理部３３と、信号処理部３４と、コアネットワーク側レイヤ処理部３５と、制御信号生成部３６とを備える。制御局３０ｂも制御局３０ａと同様の構成を備える。【００８７】  基地局側物理レイヤ処理部３１は、基地局１０ａと物理レイヤにおいて通信を行う。基地局側物理レイヤ処理部３１は、基地局１０ａと有線を介して接続し、通信を行う。基地局側物理レイヤ処理部３１は、移動局２０ａに対する下りデータや、移動局２０ａからの上りデータを基地局１０ａと送受信する。更に、基地局側物理レイヤ処理部３１は、セルチェンジの際に、下りデータの送信先を変更元の基地局から変更先の基地局に切り替える、下りデータのパスの切り替えを行う。【００８８】  サブレイヤ処理部３２は、基地局１０ａとサブレイヤにおいて通信を行う。サブレイヤ処理部３２は、制御信号を基地局１０ａと送受��する。サブレイヤ処理部３２は、例えば、セルチェンジ制御信号やトラフィック割り当て信号などの制御信号を、基地局１０ａと送受信する。【００８９】  更に、サブレイヤ処理部３２は、受信したトラフィック割り当て信号に基づいて、制御局３０ａから基地局１０ａ，１０ｂへの下りデータの送信（データトラフィック）に関する制御を行う。また、サブレイヤ処理部３２は、セルチェンジのタイミングにおいて、パスの切り替えを行うよう基地局側物理レイヤ処理部３１に指示する。【００９０】  サブレイヤ処理部３２は、トラフィック割り当て信号が下りデータの送信停止（データトラフィック停止）を要求するものである場合、トラフィック割り当て信号の送信元である、変更元の基地局への下りデータの送信を停止するよう、基地局側物理レイヤ処理部３１に指示する。【００９１】  サブレイヤ処理部３２は、トラフィック割り当て信号が、基地局が処理可能な下りデータのトラフィック量を制御局３０ａに通知するものである場合、通知されたトラフィック量に応じた下りデータを、トラフィック割り当て信号の送信元である、変更先の基地局に送信するよう、基地局側物理レイヤ処理部３１に指示する。【００９２】  制御信号生成部３６は、基地局１０ａに対する制御信号を生成する。制御信号生成部３６は、制御信号として、セルチェンジ制御信号などを生成する。制御信号生成部３６は、生成した制御信号をサブレイヤ処理部３２に入力する。【００９３】  データリンクレイヤ処理部３３は、移動局２０ａとデータリンクレイヤにおいて通信を行う。データリンクレイヤ処理部３３は、基地局側物理レイヤ処理部３１及び基地局１０ａを介して移動局２０ａとデータ及び制御信号を送受信する。【００９４】  信号処理部３４は、移動局２０ａとコアネットワーク４０との間の制御信号やデータの中継処理を行う。また、信号処理部３４は、移動局２０ａとコアネットワーク４０との間で送受信されるデータのバッファリングなどを行う。【００９５】  コアネットワーク側レイヤ処理部３５は、コアネットワーク４０と通信を行う。コアネットワーク側レイヤ処理部３５は、コアネットワーク４０と有線を介して接続し、通信を行う。コアネットワーク側レイヤ処理部３５は、移動局２０ａに対する下りデータや、移動局２０ａからの上りデータをコアネットワーク４０と送受信する。【００９６】（移動通信制御方法）
次に、移動通信システム１００における移動通信制御方法を図６を用いて説明する。具体的には、図３に示すセルチェンジの際の処理手順を示す。【００９７】  まず、制御局３０ａが、変更元の基地局１０ａ及び変更先の基地局１０ｂに、セルチェンジのタイミングを通知するセルチェンジ制御信号を送信する（Ｓ１０１ａ，Ｓ１０１ｂ）。【００９８】  セルチェンジ制御信号を受信した変更元の基地局１０ａは、通知されたセルチェンジのタイミング前に、制御局３０ａから変更元の基地局１０ａへの下りデータの送信停止（データトラフィック停止）を要求するトラフィック割り当て信号を制御局３０ａに送信する（Ｓ１０２）。【００９９】  制御局３０ａは、通知したセルチェンジのタイミング（Ｓ１０３）になると、下りデータの送信先を変更元の基地局１０ａから変更先の基地局１０ｂに切り替える、下りデータのパスの切り替えを行う（Ｓ１０４）。【０１００】  更に、変更先の基地局１０ｂは、通知されたセルチェンジのタイミング（Ｓ１０３）以降、基地局１０ｂが処理可能な下りデータのトラフィック量を通知するトラフィック割り当て信号を複数回、制御局３０ａに送信する（Ｓ１０５ａ〜Ｓ１０５ｄ）。【０１０１】  図６に示すように、制御局３０ａにおける処理負荷が高く、パス切り替え所要時間Ｔが長くなった場合、制御局３０ａは、そのパスの切り替え中、トラフィック割り当て信号を処理できない。【０１０２】  即ち、制御局３０ａは、ステップ（Ｓ１０５ａ）、（Ｓ１０５ｂ）において送信されたトラフィック割り当て信号を処理できない。【０１０３】  その後、パスの切り替えが完了すると、制御局３０ａは、トラフィック割り当て信号を処理することができる。【０１０４】  即ち、制御局３０ａは、ステップ（Ｓ１０５ｃ）、（Ｓ１０５ｄ）において送信されたトラフィック割り当て信号を処理できる。【０１０５】  そして、制御局３０ａは、トラフィック割り当て信号に基づいて、基地局１０ｂが処理可能なトラフィック量に応じた下りデータを送信する（Ｓ１０６）。基地局１０ｂは、制御局３０ａから移動局２０ａに対する下りデータが送信されたことにより、トラフィック割り当て信号の送信を終了する。【０１０６】（効果）
このような移動通信システム１００、基地局１０ａ〜１０ｅ、移動通信制御方法によれば、セルチェンジの際に、変更先となった基地局が、トラフィック割り当て信号を制御局３０ａ，３０ｂに複数回送信できるため、制御局３０ａ，３０ｂが、パスの切り替えに長時間を要した場合であっても、パスの切り替え完了後、直ちに変更先の基地局からトラフィック割り当て信号を受信し、速やかに処理することができる。【０１０７】  より具体的には、制御局３０ａ，３０ｂは、受信したトラフィック割り当て信号に基づいて、変更先の基地局が処理可能なトラフィック量に応じた下りデータを速やかに送信できる。よって、パスの切り替えに長時間を要し、セルチェンジのタイミングから時間が経過した後にパスの切り替えが完了した場合であっても、無通信時間を短縮することができる。【０１０８】  しかも、基地局１０ａ〜１０ｅは、移動局２０ａ〜２０ｃが無線通信を行う基地局を変更する際に限って、トラフィック割り当て信号を複数回送信するため、基地局１０ａ〜１０ｅと制御局３０ａ，３０ｂの負荷増大、及び、基地局１０ａ〜１０ｅと制御局３０ａ，３０ｂとの間の有線帯域などの通信リソースの浪費を防止できる。【０１０９】  特に、基地局１０ａ〜１０ｅは、セルチェンジのタイミング以降、トラフィック割り当て信号を複数回送信することにより、トラフィック割り当て信号の複数回送信を、より確実に、必要なときに限ることができる。その結果、負荷増大及び通信リソースの浪費をより確実に防止できる。【０１１０】  尚、本発明は上記実施形態に限定されるものではなく、種々の変更が可能である。
【産業上の利用可能性】
【０１１１】  以上説明したように、本発明によれば、移動局が無線通信を行う基地局を変更する際に、基地局と制御局の負荷増大、及び、基地局と制御局との間の通信リソースの浪費を防止し、制御局が、基地局からの制御信号を速やかに処理することができる。
【図１】
0004756042.tif 000002
【図２】
0004756042.tif 000003
【図３】
0004756042.tif 000004
【図４】
0004756042.tif 000005
【図５】
0004756042.tif 000006
【図６】
0004756042.tif 000007